(57)【要約】【課題】工具を使用する必要がなく、多数のラグタイプのペール缶を容易かつ短時間で開封できる開封装置を提供する。【解決手段】天蓋の内周に設けた突起を缶本体の開口側外周に設けた突起に係合させて天蓋を缶本体に密に装着するタイプのペール缶の開封装置において、立設した支持部材により中間部が支持され、該中間部を支点として垂直面上で揺動自在な長尺のアームと、該アームの基端部に結合された上下に伸縮動自在な軸を備える昇降器と、前記アームの先端部に取付けられ、該先端部が下降したとき、缶本体と天蓋との間に下方から係止可能に斜め上を向く爪部を備えた係止具とを有する缶開封機構と、ペール缶を前記アームの先端部下方の所定位置に位置決めする壁部を備え、該壁部に缶本体を解放可能に固定する缶固定手段とからなるようにした。【選択図】図１
0003127278.tif 000002
【実用新案登録請求の範囲】
【請求項１】
天蓋の内周に設けた突起を缶本体の開口側外周に設けた突起に係合させて天蓋を缶本体に密に装着するタイプのペール缶の開封装置において、
立設した支持部材により中間部が支持され、該中間部を支点として垂直面上で揺動自在な長尺のアームと、該アームの基端部に結合された上下に伸縮動自在な軸を備える昇降器と、前記アームの先端部に取付けられ、該先端部が下降したとき、缶本体と天蓋との間に下方から係止可能に斜め上を向く爪部を備えた係止具とを有する缶開封機構と、
ペール缶を前記アームの先端部下方の所定位置に位置決めする壁部を備え、該壁部に缶本体を解放可能に固定する缶固定手段と、
からなるペール缶の開封装置。
【請求項２】
前記係止具は、前記アームの先端部に弾性部材を介して角度調整可能に結合された第２アームを有し、前記爪部は該第２アームの先端部に固定されている、
ことを特徴とする請求項１に記載のペール缶の開封装置。
【請求項３】
前記爪部は、爪先部とガイド部とを有し、前記アームの先端部が下降したとき、該爪部を天蓋よりも下方に案内する前記ガイド部が前記爪先部の下部に延設されている、
ことを特徴とする請求項２に記載のペール缶の開封装置。
【請求項４】
前記アームは、前記支点より先端部側が上方に折曲げ可能に構成されている、
ことを特徴とする請求項１ないし３のいずれか１に記載のペール缶の開封装置。
【請求項５】
前記缶開封機構と前記缶固定手段は、作業台車に載置されている、
ことを特徴とする請求項１ないし４のいずれか１に記載のペール缶の開封装置。
【考案の詳細な説明】
【技術分野】
【０００１】
本考案は、缶の開封装置に関し、特に、天蓋の内周に設けた突起を缶本体の開口側外周に設けた突起に係合させて天蓋を缶本体に密に装着するタイプのペール缶の開封装置に関する。
【背景技術】
【０００２】
野菜ジュースやフルーツジュースの原料となる濃縮野菜汁や濃縮果汁は、鋼製ドラム缶や鋼製又はプラスチック製ペール缶に充填、密封され、通常では、凍結状態で保管、移送される。
【０００３】
ペール缶は、缶本体と、その開口部に被せて装着する天蓋とからなる。天蓋の装着手段として、天蓋の外周にバンドを巻回し、締付けることにより、缶を密封する所謂バンドタイプと、図６に要部を拡大して例示するように、缶本体１２の開口側外周に設けた突起１２２に、天蓋１１の内周に設けた突起１１２を係合させることにより、缶１３を密封する所謂ラグタイプとがある。
【０００４】
濃縮野菜汁や濃縮果汁の保管又は移送には、安価で、冷凍耐性が高い、ラグタイプのペール缶が多く利用されている。ラグタイプのペール缶１３は、缶本体１２側の突起１２２と天蓋１１側の突起１１２との係合により密封されているので、開封するためには、工具を用いて係合を解き天蓋１１を取り外す缶開封作業が必要である。
【０００５】
従来では、ペール缶１３の開封具として、図７に例示するようなプライヤー型工具やバールが利用されている。しかし、ラグタイプのペール缶を開封するために、プライヤー型工具やバールを用いて両突起の係合を解き天蓋の取り外しを手作業で行うことは、多くの労力を必要とし、開封する缶の数量が多くなればなるほど、開封に要する時間が長くなっていた。
【特許文献１】実開平２―３４４９７号公報
【考案の開示】
【考案が解決しようとする課題】
【０００６】
そこで、ラグタイプのペール缶を容易かつ短時間で開封できる開封装置が求められていた。
【０００７】
本考案は、上記事情に鑑み創出したもので、工具を使用する必要がなく、多数のラグタイプのペール缶を容易かつ短時間で開封できる開封装置を提供することを目的とする。
【課題を解決するための手段】
【０００８】
上記課題を解決するため、請求項１の考案は、天蓋の内周に設けた突起を缶本体の開口側外周に設けた突起に係合させて天蓋を缶本体に密に装着するタイプのペール缶の開封装置において、立設した支持部材によりで中間部が支持され、該中間部を支点として垂直面上で揺動自在な長尺のアームと、該アームの基端部に結合された上下に伸縮動自在な軸を備える昇降器と、前記アームの先端部に取付けられ、該先端部が下降したとき、缶本体と天蓋との間に下方から係止可能に斜め上を向く爪部を備えた係止具とを有する缶開封機構と、ペール缶を前記アームの先端部下方の所定位置に位置決めする壁部を備え、該壁部に缶本体を解放可能に固定する缶固定手段とからなることを特徴とする。
【０００９】
請求項２の考案は、前記係止具は、前記アームの先端部に弾性部材を介して角度調整可能に結合された第２アームを有し、前記爪部は該第２アームの先端部に固定されていることを特徴とする。
【００１０】
請求項３の考案は、前記爪部は、爪先部とガイド部とを有し、前記アームの先端部が下降したとき、該爪部を天蓋よりも下方に案内する前記ガイド部が前記爪先部の下部に延設されていることを特徴とする。
【００１１】
請求項４の考案は、前記アームは、前記支点より先端部側が上方に折曲げ可能に構成されていることを特徴とする。
【００１２】
請求項５の考案は、前記缶開封機構と前記缶固定手段は、作業台車に載置されていることを特徴とする。
【考案の効果】
【００１３】
本考案によれば、立設した支持部材によりで中間部が支持され、中間部を支点として垂直面上で揺動自在な長尺のアームと、アームの基端部に結合された上下に伸縮動自在な軸を備える昇降器と、アームの先端部に取付けられ、該先端部が下降したとき、缶本体と天蓋との間に下方から係止可能に斜め上を向く爪部を備えた係止具とを有する缶開封機構と、ペール缶をアームの先端部下方の所定位置に位置決めする壁部を備え、壁部に缶本体を解放可能に固定する缶固定手段とからなるので、固定手段により固定した缶の缶本体と天蓋との間にアーム先端部に取付けられた係止具の爪部をあてがい、昇降器の軸を収縮動させるだけで天蓋を缶本体から取外すことができ、機械的作業で容易かつ短時間で開封できる。そのため、従来の手作業で缶を開封していた場合に比べ、労力の大幅な削減が図れると共に、多数の缶であっても短時間で開封作業を行うことができ、作業能率が改善される。
【００１４】
係止具は、アームの先端部に弾性部材を介して角度調整可能に結合された第２アームを有し、爪部は第２アームの先端部に固定されているので、アームの上方への揺動による上向きの力を有効に天蓋に作用させることができ、本考案の缶開封機構により天蓋を容易かつ確実に取外すことができる。
【００１５】
爪部は、爪先部とガイド部とを有し、アームの先端部が下降したとき、爪部を天蓋よりも下方に案内するガイド部が爪先部の下部に延設されているので、アーム先端部の下降時に係止具が天蓋に引っ掛かることがなく天蓋下方に案内でき、開封作業をスムーズに行うことができる。
【００１６】
アームは、支点より先端部側が上方に折曲げ可能に構成されているので、缶の固定作業時にアームが邪魔になることがなく、作業能率が損なわれることがない。
【００１７】
缶開封機構と缶固定手段が、作業台車に載置されているので、本考案に係る缶開封装置は作業場所を選ぶことなく何処でも作業を行うことができ、極めて便利である。
【考案を実施するための最良の形態】
【００１８】
次に、本考案のペール缶の開封装置の最良の形態を図面に基づき説明する。図１は、本考案の一実施形態の側面図を示す。
【００１９】
図１に示すペール缶の開封装置は、缶開封機構１と缶固定手段２とからなる。缶開封機構１は、中間部のピン３３を支点として垂直面上で揺動自在な長尺のアーム３と、アーム３を中間部で揺動自在に支承する支持部材４と、アーム３の基端部３１にピストン軸５１が結合されて軸５１の上下伸縮動によりアーム３を揺動せしめるピストン・シリンダ装置からなる昇降器５と、アーム３の先端部３２に取付けられた係止具６とを有する。
【００２０】
缶固定手段２は、ペール缶１３の缶本体１２を装着可能に形成された複数の縦・横フレーム２１、２２からなり、縦フレーム２１は缶本体１２の胴部１２１側外周の形状に対応させて、平面視で円弧状に形成されており、ペール缶１３をアーム３の先端部３２下方の所定位置に位置決めする壁部を構成する（図３参照）。少なくとも一つの横フレーム２２は、縦フレーム２１の左右から開放円を描くように延びて、相重なり合う自由端を有するベルト状に形成されており、各自由端を重ねることにより缶１３を囲む円が形成され、バックルのような不図示の締付け具を利用して円の径を縮小可能に構成されている。缶固定手段２の壁部２１と、缶開封機構１の支持部材４及び昇降器５とは、作業台車８の床部８１に立設されている。
【００２１】
アーム３は、中間部の支点３３より先端部３２側に位置する箇所でピン３４を中心として上方に折曲げ可能に構成されている（図２参照）。この折曲げ可能なアーム先端部３２側は、その下面に、少なくとも９０度の角度で回動自在なＬ字形係合片９２が設けられており、係合片９２をアーム基端部３１側の下面に設けられた下向き突片９１に係合させることにより、アーム基端部３１側と直線状に保持される。係合片９２は、アーム先端部３２側の上面に突出して設けられた操作レバー９３により回動操作され、バネ９４により突片９１に圧接する方向に付勢されている。
【００２２】
アーム３の基端部３１は、ピストン軸５１の先端部５１１に結合されている。アーム３の先端部３２には、係止具６の一部をなす第２のアーム６１がアーム３と鈍角で交わるように、またコイルばね１０を介して角度調整可能に結合されている。これにより、第２アーム６１の先端部に固定された爪部７は缶固定手段２により保持された缶１３の上方から天蓋１１の側面１１１ないし缶本体１２の胴部１２１の側方に容易に移動できる（図３参照）。
【００２３】
係止具６の第２アーム６１には、錨型構造の爪部７が下記の錨基部７１を介して固定されている。錨型構造の爪部７は、錨基部７１と錨本体７２とからなる。錨本体７２は、爪先部７２１と、その下部に延設され先端が上方に湾曲されたガイド部７２２とを有する。これにより、錨本体７２はスムーズに天蓋１１下端の下方まで下降し、上昇したとき、確実かつ容易に天蓋１１を取外すことができる（図４、５参照）。
【００２４】
缶固定手段２の少なくとも一つの横フレーム２２（図２参照）は、ペール缶１３がその缶本体１２を縦フレームないし壁部２１に押し当てられて位置決めされると、缶本体１２の胴部１２１に巻き付けられて不図示の締付け具で缶本体１２を壁部２１に対して締付け固定する。天蓋の開封作業が終了すると、締付け具を解放して缶本体１２を取出す。なお、締付け機能を有する横フレーム２２はベルト形状に限られず、縦フレームの左右から腕状に延出して缶本体を抱え込むような一対のアーム状に形成されていてもよい。
【００２５】
昇降器５は、エアを利用したピストン・シリンダ装置であり、ピストンの上側に通じる不図示の上部バルブとピストンの下側に通じる不図示の下部バルブを備え、不図示のエア切替スイッチによりエアを上部バルブ又は下部バルブに導入することにより、ピストン軸５１を上下動させることができる。したがって、エアが上部バルブから入ると、ピストン軸５１が縮み、下部バルブから入ると、ピストン軸５１が伸びる動作をする。なお、エアは、コンプレッサー等の装置で得られた圧縮空気が好ましい。
【００２６】
次に、本考案のペール缶の開封装置の開封作業を、図２〜図５に示す各ステップに基づき説明する。
【００２７】
先ず、図２に示すステップ１では、ピストン軸５１を縮ませて、アーム３の基端部３１を下降させ、先端部３２を上方に移動させる。そして、操作レバー９３をひねって係合片９２を突片９１から外し、アーム先端部３２側を上方に折り曲げる。これにより、アーム３の先端部３２に結合した係止具６はさらに上方に移動するので、缶固定手段２の上方の空間が開放され、後述する缶装着作業が容易になる。
【００２８】
次に、図３に示すステップ２では、密封されたペール缶１３を縦フレームないし壁部２１に押し付けて位置決めし、缶本体１２の胴部１２１を横フレーム２２の自由端同士を不図示の締付け具を用いて締付けて縦フレームないし壁部２１に固定する。そして、上方に折り曲げられていたアーム先端部３２側を元の位置に戻し、操作レバー９３により係合片９２を回動操作して突片９１に係合させ、アーム先端部３２側とアーム基端部３１側を直線状に保持する（図２参照）。
【００２９】
続いて、図４に示すステップ３では、昇降器５のピストン軸５１を伸ばして、アーム３の先端部３２を下降させ、係止具６の第２アーム６１に固定された爪部７を天蓋１１下端の下方まで移動させる。そして、ピストン軸５１を若干縮め、アーム３の先端部３２を若干上昇させ、爪部７の爪先部７２１を下方から天蓋１１の内側と缶本体１２の胴部１２１との間に係止させる。
【００３０】
最後に、図５に示すステップ４では、ピストン軸５１を縮め、アーム３の先端部３２を上昇させ、爪部７を上昇させることにより、天蓋１１の内周に設けた突起と缶本体１２の開口側外周に設けた突起との係合が強制的に解かれ、天蓋１１が缶本体１２から取外され、密封されたペール缶１３は開封される。
【図面の簡単な説明】
【００３１】
【図１】本考案の缶開封装置の一実施形態を示す側面図。
【図２】開封作業のステップ１を示す本考案の缶開封装置の側面図。
【図３】開封作業のステップ２を示す本考案の缶開封装置の側面図。
【図４】開封作業のステップ３を示す本考案の缶開封装置の側面図。
【図５】開封作業のステップ４を示す本考案の缶開封装置の側面図。
【図６】ペール缶の要部拡大縦断面図。
【図７】従来の開封具の正面図。
【符号の説明】
【００３２】
１      …缶開封機構
２      …缶固定手段
３      …アーム
３１    …３の基端部
３２    …３の先端部
３３    …３の支点
４      …支持部材
５      …昇降器
５１    …ピストン軸
６      …係止具
６１    …第２アーム
７      …爪部
７２１  …爪先部
７２２  …ガイド部
８      …作業台車
１１    …天蓋
１１２  …１１の突起
１２    …缶本体
１２１  …１２の胴部
１２２  …１２の突起
１３    …ペール缶
【図１】
0003127278.tif 000003
【図２】
0003127278.tif 000004
【図３】
0003127278.tif 000005
【図４】
0003127278.tif 000006
【図５】
0003127278.tif 000007
【図６】
0003127278.tif 000008
【図７】
0003127278.tif 000009